(57)【要約】【課題】第１の装置及び第２の装置間との間に設けられる通信ユニットにおいて、第２の装置と前記第１の装置とを接続させるためのデバイスが動作可能な状態であることを保証可能な通信ユニットを提供する。【解決手段】PCI Express／光ケーブル変換ボードは、電気式カードエッジ５０と、PCI Expressスイッチ５１と、２つの光ケーブルコネクタ５２ａ，５２ｂと、電源遅延回路５３とを有する。電気式カードエッジ５０にはPCI Expressスイッチ５１が配線接続される。光ケーブルコネクタ５２には、光トランシーバ６００を介して光アクティブケーブル５００が接続される。電源遅延回路５３は、PCI Expressスイッチ５１及び光アクティブケーブル５００に接続される光トランシーバ６００の起動タイミングを制御する。【選択図】図５
2012022477.tif 000002
【特許請求の範囲】
【請求項１】
第１の装置及び第２の装置間との間に設けられる通信ユニットであって、
前記第１の装置に接続され、前記第１の装置から電力を供給する接続部と、
前記第２の装置と前記第１の装置とを接続させるためのデバイスと、
前記デバイスを介した前記第２の装置と前記接続部を介した前記第１の装置とを中継する中継部と、
前記デバイス及び前記中継部の起動タイミングを制御する起動制御部とを備える
ことを特徴とする通信ユニット。
【請求項２】
前記起動制御部は、前記中継部への電力の供給が前記デバイスへの電力の供給より所定時間遅延するよう、前記接続部から供給される電力の供給を制御する
ことを特徴とする請求項１に記載の通信ユニット。
【請求項３】
前記起動制御部は、前記デバイスが起動して動作を開始した後に前記中継部への電力の供給が行われるよう、前記接続部から供給される電力の供給を制御する
ことを特徴とする請求項１に記載の通信ユニット。
【請求項４】
前記接続部は、前記第１の装置が有するマザーボードが接続されるカードエッジコネクタであり、前記マザーボードから送信された、前記中継部に対するリセット状態を解除する場合のリセット信号を前記中継部に対して送信し、
前記起動制御部は、前記デバイスが起動して動作を開始した後に、前記中継部に対して前記リセット信号が出力されるよう、前記デバイス及び前記中継部の起動タイミングを制御する
ことを特徴とする請求項１に記載の通信ユニット。
【請求項５】
前記通信ユニットは、第１の装置及び第２の装置間でのデータ通信を第１の通信媒体を介して行う際に、前記第１の通信媒体と前記第１の装置との間に設けられるものであり、
前記接続部は、前記第１の装置及び第２の装置間で通信されるデータの転送を行うものであり、
前記デバイスは、前記第１の通信媒体が接続され、前記第１の通信媒体を介したデータの転送を行う通信デバイスである
ことを特徴とする請求項１に記載の通信ユニット。
【請求項６】
前記データ通信の通信規格は、PCI Expressであり、
前記中継部は、前記接続部が転送したデータを前記第１の通信媒体に送信する及び前記第１の通信媒体から送信されたデータを前記接続部に転送するPCI Expressスイッチである
ことを特徴とする請求項５に記載の通信ユニット。
【請求項７】
請求項１乃至６のいずれか一項に記載の通信ユニットを備える
ことを特徴とする情報処理装置。
【発明の詳細な説明】
【技術分野】
【０００１】
本発明は、通信ユニット及び情報処理装置に関する。
【背景技術】
【０００２】
データ通信における通信規格として例えばPCI Express（登録商標）は、元来ＰＣ（Personal Computer）を初めとしたコンピュータの同一筐体内などの比較的短距離のホスト-デバイス間通信を目的として開発されてきたが、近年では、異なる装置間での通信への応用も盛んに行われようになった。このため、ケーブル接続による通信規格(PCI Express External Cabling Specification)が制定されるに至った。しかし、PCI Express External Cabling 規格での通信では、メタルケーブルを用いて電気信号をそのまま伝送するため、延長可能な距離が最大で15m程度という制約がある。そこで，電気信号を直接光信号に変換し光ケーブルを用いて信号の伝送を行うことでより長距離の伝送を可能にできることが既に知られている。しかし、光ケーブルを用いて、信号を伝送可能な距離を延長すると、参照クロックに問題が生じる恐れがあった。このような問題を解決するために、電気信号を光信号に変換する光変換モジュールを有し光ケーブルが接続される変換ボード上にPCI Expressスイッチを搭載したものが開発されている（例えば特許文献１参照）。
【発明の概要】
【発明が解決しようとする課題】
【０００３】
しかし、従来のPCI Expressスイッチを搭載した変換ボードでは、変換ボード上のPCI Expressスイッチと光変換モジュールとの起動時間に差があることにより、変換ボード上のPCI Expressスイッチが起動しリンクトレーニングシーケンスに入る時点までに光変換モジュールが通信可能な状態にならず、PCI Expressスイッチがリンクアップできない場合があった。
【０００４】
本発明は、上記に鑑みてなされたものであって、第１の装置及び第２の装置間との間に設けられる通信ユニットにおいて、第２の装置と第１の装置とを接続させるためのデバイスが動作可能な状態であることを保証可能な通信ユニット及び情報処理装置を提供することを目的とする。
【課題を解決するための手段】
【０００５】
上述した課題を解決し、目的を達成するために、本発明は、第１の装置及び第２の装置間との間に設けられる通信ユニットであって、前記第１の装置に接続され、前記第１の装置から供給された電力を前記通信ユニット内へ供給する接続部と、前記第２の装置と前記第１の装置とを接続させるためのデバイスと、前記デバイスを介した前記第２の装置と前記接続部を介した前記第１の装置とを中継する中継部と、前記デバイス及び前記中継部の起動タイミングを制御する起動制御部とを備えることを特徴とする。
【０００６】
また、本発明は、情報処理装置であって、上記の通信ユニットを備えることを特徴とする。
【発明の効果】
【０００７】
本発明によれば、第１の装置及び第２の装置間との間に設けられる通信ユニットにおいて、第２の装置と第１の装置とを接続させるためのデバイスが動作可能な状態であることを保証可能になる。
【図面の簡単な説明】
【０００８】
【図１】図１は、第１の実施の形態のプリントシステムの概略構成図である。
【図２】図２は、サーバ及びプリンタにおけるPCI Expressツリーを説明するための図（その１）である。
【図３】図３は、サーバ及びプリンタにおけるPCI Expressツリーを説明するための図（その２）である。
【図４】図４は、サーバとプリンタとの間の伝送路を説明するための図である。
【図５】図５は、カードアダプタ３００として用いるPCI Express／光ケーブル変換ボードの構成の概要を例示する図である。
【図６】図６は、電源遅延回路５３の内部構成を例示する図である。
【図７】図７は、仕様上において、電源投入時のPCI Expressスイッチ５１と光ケーブルコネクタ５２に接続される光トランシーバ６００との起動タイミングを説明するための図である。
【図８】図８は、同実施の形態において、電源投入時のPCI Expressスイッチ５１と光ケーブルコネクタ５２に接続される光トランシーバ６００との起動タイミングを説明するための図である。
【図９】図９は、第２の実施の形態に係る電源遅延回路５３の構成を例示する図である。
【図１０】図１０は、同実施の形態において、電源投入時のPCI Expressスイッチ５１と光ケーブルコネクタ５２に接続される光トランシーバ６００との起動タイミングを説明するための図である。
【図１１】図１１は、第３の実施の形態に係る電源遅延回路５３の構成を例示する図である。
【図１２】図１２は、同実施の形態において、電源投入時のPCI Expressスイッチ５１と光ケーブルコネクタ５２に接続される光トランシーバ６００との起動タイミングを説明するための図である。
【発明を実施するための形態】
【０００９】
以下に添付図面を参照して、この発明にかかる通信ユニット及び情報処理装置の一実施の形態を詳細に説明する。
【００１０】
[第１の実施の形態]
図１は、本実施の形態のプリントシステム１００の概略構成図である。本実施の形態のプリントシステム１００は、サーバ２００、プリンタ４００、光アクティブケーブル５００、複数の端末８００、ネットワーク９００などを備えている。
【００１１】
サーバ２００は、いわゆるプリントサーバであり、ネットワーク９００を介して複数の端末（例えば、ＰＣ）８００と接続されている。サーバ２００及びプリンタ４００は、一例として図２に示されるように、それぞれ、PCI Expressの規格にて規定されたツリー構造のトポロジに従って接続されたデバイス群を有する。PCI Expressの規格にて規定されたツリー構造のトポロジとは、一例として図３に示されるように、ルートコンプレックスを頂点としたツリー型の構成であり、ルートコンプレックスとエンドポイントとが接続されるトポロジである。
【００１２】
サーバ２００は、図４に示されるように、そのマザーボードにPCI Expressの規格に準拠したソケット（PCI Expressソケット４１０）が少なくとも４つ搭載されている。そして、各PCI Expressソケット４１０には、通信ユニットであるカードアダプタ３００が装着されている。また、プリンタ４００は、そのマザーボードにPCI Expressの規格に準拠したソケット（PCI Expressソケット４１０）が少なくとも４つ搭載されている。そして、各PCI Expressソケットには、カードアダプタ３００が装着されている。また、各カードアダプタ３００には、トランシーバソケット３１２を介して光トランシーバ６００がそれぞれ取り付けられている。そして、サーバ側の光トランシーバ６００とプリンタ側の光トランシーバ６００とは、光アクティブケーブル５００によって個別に接続されている。ここで、本実施の形態では、光トランシーバ６００は、光アクティブケーブル５００を介したデータの転送を行う機能に加え、データの転送媒体である電気信号と光信号との変換機能を備えている。
【００１３】
ここでは、ブラックの画像情報、シアンの画像情報、マゼンタの画像情報、及びイエローの画像情報が、ラスターイメージの可逆圧縮データの形で、個別にサーバ２００からプリンタ４００に伝送される。そして、プリンタ４００は、受信したブラックの画像情報、シアンの画像情報、マゼンタの画像情報、及びイエローの画像情報に応じてカラーの画像を形成する。
【００１４】
次に、本実施の形態にかかるカードアダプタ３００として用いるPCI Express／光ケーブル変換ボードの構成の概要について図５を用いて説明する。PCI Express／光ケーブル変換ボードは、サーバ２００及びプリンタ４００などの装置間でデータ通信を通信媒体として光ケーブルを介して行う際に、通信媒体と装置との間に設けられるアダプタである。同図に示されるように、本実施の形態にかかるPCI Express／光ケーブル変換ボードは、電気式カードエッジ５０と、PCI Expressスイッチ５１と、２つの光ケーブルコネクタ５２ａ，５２ｂと、電源遅延回路５３とを有する。尚、２つの光ケーブルコネクタ５２ａ，５２ｂを区別する必要がないときは、光ケーブルコネクタ５２という。電気式カードエッジ５０は、PCI Expressの通信規格に準拠したカードエッジコネクタである。電気式カードエッジ５０は、サーバ側あるいはプリンタ側のPCI Expressソケット４１０と接続可能であり、サーバ２００のマザーボードやプリンタ４００のマザーボードに接続され、サーバ２００及びプリンタ４００間で通信されるデータの転送及び電力の供給を行う接続部である。具体的には、電気式カードエッジ５０は、マザーボードから供給される電力をPCI Expressスイッチ５１及び光ケーブルコネクタ５２ａ，５２ｂに供給したり、マザーボードから送信されたデータなどの電気信号をPCI Expressスイッチ５１に送信したり、PCI Expressスイッチ５１から送信されたデータなどの電気信号をマザーボードに送信したりする。PCI Express規格に準拠した電気式カードエッジ５０として、例えば、PCI Express  Ｇｅｎ２ｘ８が使用される。
【００１５】
電気式カードエッジ５０にはPCI Expressスイッチ５１が配線接続される。電気式カードエッジ５０からPCI Expressスイッチ５１に接続される信号線（PCI Express信号線という）が、PCI Expressスイッチ５１の上流ポートに接続され、PCI Expressスイッチ５１の下流ポートの８本の差動信号線が光ケーブルコネクタ５２ａ，５２ｂに接続される。PCI Expressスイッチ５１は、光ケーブルコネクタ５２ａ，５２ｂのそれぞれにシリアル信号で接続されており、電気式カードエッジ５０から送信された電気信号を光ケーブルコネクタ５２に供給したり、光ケーブルコネクタ５２から送信された電気信号を電気式カードエッジ５０に送信したりする中継部であり、電気式カードエッジ５０と光ケーブルコネクタ５２ａ，５２ｂ間の配線のレーンの接続と遮断を切り替える。PCI Expressスイッチ５１は、光ケーブルコネクタ５２ａ，５２ｂのそれぞれからシリアル信号線を介して、光トランシーバ６００ａ，６００ｂの状態が変化したことを示す割り込み信号（ＩｎｔＬ信号）を受信し、光ケーブルコネクタ５２ａ，５２ｂ内のメモリから光トランシーバ６００ａ，６００ｂの通信状態をステータス情報として読み取って、このステータス情報に基づいて、サイドバンド信号を生成する。生成されたサイドバンド信号は、電気式カードエッジ５０を介して接続機器に送信される。
【００１６】
光ケーブルコネクタ５２は、例えば、ＱＳＦＰ(Quad small Form−factor Pluggable)の通信規格に準拠した光ケーブルが接続されるコネクタである。光ケーブルコネクタ５２には、光トランシーバ６００を介して光アクティブケーブル５００が接続される。光ケーブルコネクタ５２は、PCI Expressスイッチ５１から送信された信号を光トランシーバ６００を介して光アクティブケーブル５００に送信したり、光アクティブケーブル５００を介して光トランシーバ６００から受信されたデータをPCI Expressスイッチ５１に送信したりする。２つの光ケーブルコネクタ５２ａ，５２ｂのそれぞれには、光アクティブケーブル５００の光トランシーバ６００ａ，６００ｂが接続され、内部に自己の状態を記憶するメモリが設けられている。尚、光信号により光アクティブケーブル５００から伝送されたデータは、光トランシーバ６００で電気信号に変換されて、光ケーブルコネクタ５２を介してPCI Expressスイッチ５１に送信される。また、PCI Expressスイッチ５１及び光ケーブルコネクタ５２を介して送信されたデータは、光トランシーバ６００で光信号に変換されて光アクティブケーブル５００を介して伝送される。
【００１７】
電源遅延回路５３は、PCI Expressスイッチ５１及び光アクティブケーブル５００に接続される光トランシーバ６００の起動タイミングを制御するためのものである。本実施の形態においては、電源遅延回路５３は、電気式カードエッジ５０から供給された電力について、PCI Expressスイッチ５１への電力の供給を光ケーブルコネクタ５２への電力の供給より所定時間遅延させる。図６は、電源遅延回路５３の内部構成を例示する図である。電源遅延回路５３は、電圧検出回路６０と、抵抗（R）６１と、キャパシタ(C)６２と、スイッチ（ＳＷ）６３とを含む信号遅延回路とを有する。同図に示される端子Ｐ１は、光ケーブルコネクタ５２に接続され、端子Ｐ２は、PCI Expressスイッチ５１に接続される。電圧検出回路６０は、電気式カードエッジ５０から供給された電力の電圧値が一定値を超えた場合、信号を出力する。この信号は、抵抗６１とキャパシタ６２とにより決まる所定時間後にスイッチ６３を閉じさせる。スイッチ６３が閉じると、端子Ｐ２からPCI Expressスイッチ５１へ電力が供給される。従って、この電源遅延回路５３によれば、電気式カードエッジ５０から光ケーブルコネクタ５２へ電力が供給されてから、所定時間後に、PCI Expressスイッチ５１へ電力が供給されることになる。
【００１８】
ここで、電源投入時のPCI Expressスイッチ５１と光ケーブルコネクタ５２に接続される光トランシーバ６００との起動タイミングについて説明する。まず、PCI Express CEM仕様書2.0およびQSFP+モジュール仕様書(SFF-8436)に基づく電源投入時の起動タイミングの仕様について図７を用いて説明する。PCI Express CEM仕様書では、電気式カードエッジに供給する電力が安定した後、電気式カードエッジに接続されるマザーボードがPCI Expressスイッチのリセット状態を解除する場合のリセット(PERST)信号を出力するまでの時間を100msと規定している。PCI Expressスイッチのリセット状態を解除する場合のリセット信号とは、Highの信号である。また，PCI Express仕様書ではその後、PCI ExpressLinkがアクティブになるまでの時間は3.2us(16000UI)と規定されている。一方、QSFP+モジュール仕様書では、電源投入後、光ケーブルコネクタに接続される光トランシーバが起動して動作可能な状態になるまでの時間を最大2000msと規定している。この時間差のため、PCI Express／光ケーブル変換ボードへの電源投入に合わせてPCI Expressスイッチと光トランシーバとが同時に起動すると、PCI Expressスイッチ５１のPCI ExpressLinkがアクティブになった時点で光トランシーバは動作可能な状態にはないため、リンクアップに失敗することになる。
【００１９】
次に、本実施の形態において、電源投入時のPCI Expressスイッチ５１と光ケーブルコネクタ５２に接続される光トランシーバ６００との起動タイミングについて図８を用いて説明する。同図では、上述した電源遅延回路５３によりPCI Expressスイッチ５１に供給する電力の立ち上げを、電気式カードエッジ５０から供給される電力の立ち上がりより所定時間遅らせた場合の起動タイミングを示している。PCI Expressスイッチ５１に電力が供給された時点では、PCI Expressスイッチ５１に対するリセット状態を解除する場合のリセット信号が出力されているので、PCI Expressスイッチ５１のPCI ExpressLinkは、電力の供給開始後速やかにアクティブ状態となる。一方、光ケーブルコネクタ５２に接続される光トランシーバ６００に対する電力の供給は、電気式カードエッジ５０からの電力の供給と同時に行われる。尚、電力の供給の時間差としての所定時間は、抵抗６１とキャパシタ６２とにより決まるため、これを適切に設定することにより、PCI Expressスイッチ５１のリンクがアクティブになった時点で光ケーブルコネクタ５２に接続される光トランシーバ６００が確実に動作していることを保証することができる。
【００２０】
以上のように、PCI Expressスイッチ５１を搭載したPCI Express／光ケーブル変換ボードにおいて、光ケーブルコネクタ５２に接続される光トランシーバ６００に対してPCI Expressスイッチ５１への電力の供給を遅延させることにより、これらの起動タイミング及び起動順序を制御する。これにより、PCI Expressスイッチ５１が起動した時点で光トランシーバ６００が通信可能な状態となっていることを保証することができる。この結果、PCI Expressスイッチ５１はリンクアップを確実に行うことが可能になる。
【００２１】
[第２の実施の形態]
次に、通信ユニット及び情報処理装置の第２の実施の形態について説明する。なお、上述の第１の実施の形態と共通する部分については、同一の符号を使用して説明したり、説明を省略したりする。
【００２２】
本実施の形態においては、電源遅延回路５３は、光ケーブルコネクタ５２に接続される光トランシーバ６００が起動して動作を開始した後に、PCI Expressスイッチ５１への電力の供給を開始させることにより、PCI Expressスイッチ５１及び光トランシーバ６００の起動タイミングを制御する。図９は、本実施の形態に係る電源遅延回路５３の構成を例示する図である。電源遅延回路５３は、スイッチ６３と、信号検出回路６４とを有する。信号検出回路６４には、光トランシーバ６００が動作した後に送信する上述の割り込み信号（ＩｎｔＬ信号）及びステータス情報が入力される。信号検出回路６４は、割り込み信号（ＩｎｔＬ信号）及びステータス情報を検出して、ステータス情報のData_not_Readyビットにセットされた値に応じて、信号を出力する。この信号は、スイッチ６３を閉じさせる。スイッチ６３が閉じると、端子Ｐ２からPCI Expressスイッチ５１へ電力が供給される。従って、この電源遅延回路５３によれば、図１０に例示されるように、光トランシーバ６００が起動して動作を開始した後に、PCI Expressスイッチ５１へ電力が供給されることになる。
【００２３】
以上のような構成によっても、PCI Expressスイッチ５１が起動した時点で光トランシーバ６００が通信可能な状態となっていることを保証することができる。この結果、PCI Expressスイッチ５１はリンクアップを確実に行うことが可能になる。
【００２４】
[第３の実施の形態]
次に、通信ユニット及び情報処理装置の第３の実施の形態について説明する。なお、上述の第１の実施の形態又は第２の実施の形態と共通する部分については、同一の符号を使用して説明したり、説明を省略したりする。
【００２５】
本実施の形態においては、電源遅延回路５３は、光ケーブルコネクタ５２に接続される光トランシーバ６００が起動して動作を開始した後に、PCI Expressスイッチ５１に対してリセット状態を解除する場合のリセット信号を出力することにより、PCI Expressスイッチ５１及び光トランシーバ６００の起動タイミングを制御する。図１１は、本実施の形態に係る電源遅延回路５３の構成を例示する図である。電源遅延回路５３は、ＡＮＤ回路６５と、抵抗６１と、キャパシタ６２とを含む信号遅延回路とを有する。端子Ｐ１には、マザーボードから電気式カードエッジ５０を介して送信されたPCI Expressスイッチ５１へのリセット信号が入力される。端子Ｐ３は、PCI Expressスイッチ５１へリセット信号を出力する端子である。端子Ｐ２には、光ケーブルコネクタ５２に接続される光トランシーバ６００から送信されるステータス情報の１つとしてアクティブ信号が入力される。尚、光トランシーバ６００が起動して動作を開始した場合、光トランシーバ６００からHighのアクティブ信号が出力される。ＡＮＤ回路６５は、端子Ｐ１に入力されたリセット信号がHighである場合且つ端子Ｐ２に入力されたアクティブ信号がHighである場合、Highの信号を出力する。この信号は、抵抗６１とキャパシタ６２とにより決まる所定時間後に端子Ｐ３に入力され、端子Ｐ３からPCI Expressスイッチ５１へ出力される。この結果、図１２に例示されるように、PCI Expressスイッチ５１へHighのリセット信号が所定時間遅延して入力される、即ち、光トランシーバ６００の動作が開始した後にPCI Expressスイッチ５１に対してリセット状態を解除する場合のリセット信号が出力される。
【００２６】
以上のような構成によっても、PCI Expressスイッチ５１が起動した時点で光トランシーバ６００が通信可能な状態となっていることを保証することができる。この結果、PCI Expressスイッチ５１はリンクアップを確実に行うことが可能になる。
【００２７】
[変形例]
なお、本発明は前記実施形態そのままに限定されるものではなく、実施段階ではその要旨を逸脱しない範囲で構成要素を変形して具体化できる。また、前記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。また、以下に例示するような種々の変形が可能である。
【００２８】
上述した実施の形態においては、PCI Express規格の電気式カードエッジ５０、PCI Expressスイッチ５１及び２つの光ケーブルコネクタ５２を備えるPCI Express／光ケーブル変換ボードについて説明したが、これに限らず、PCI Express／光ケーブル変換ボードは、PCI Expressスイッチ５１及び光ケーブルコネクタ５２を備えなくても良い。
【００２９】
上述した実施の形態においては、光アクティブケーブル５００を介してサーバ２００及びプリンタ４００が接続されるようにしたが、これに限らず、例えば、メタルケーブルを介して接続されるようにしても良い。また、サーバ２００及びプリンタ４００が無線でデータ通信を行うようにしても良い。
【００３０】
上述した実施の形態においては、PCI Express規格に準拠したデータ通信を行う場合について説明したが、これに限定されるものではない。
【００３１】
また、デバイスとして、光アクティブケーブル５００を介したデータの転送を行う機能を備える光トランシーバ６００を取り扱ったが、２つの装置を接続するものであればこれに限らない。
【００３２】
上述した各実施の形態においては、電源投入後のPCI Expressスイッチ５１及び光トランシーバ６００の起動順序を制御するようにしたが、これに限らず、例えば、休止状態から復帰時やハイバネーションからの復帰時にも上述の各実施の形態と同様に、PCI Expressスイッチ５１及び光トランシーバ６００の起動順序を制御するようにしても良い。
【符号の説明】
【００３３】
５０  電気式カードエッジ
５１  PCI Expressスイッチ
５２，５２ａ，５２ｂ  光ケーブルコネクタ
５３  電源遅延回路
６０  電圧検出回路
６１  抵抗
６２  キャパシタ
６３  スイッチ
６４  信号検出回路
６５  ＡＮＤ回路
６００，６００ａ，６００ｂ  光トランシーバ
【先行技術文献】
【特許文献】
【００３４】
【特許文献１】特開２００７−１２１９２２号公報
【図１】
2012022477.tif 000003
【図２】
2012022477.tif 000004
【図３】
2012022477.tif 000005
【図４】
2012022477.tif 000006
【図５】
2012022477.tif 000007
【図６】
2012022477.tif 000008
【図７】
2012022477.tif 000009
【図８】
2012022477.tif 000010
【図９】
2012022477.tif 000011
【図１０】
2012022477.tif 000012
【図１１】
2012022477.tif 000013
【図１２】
2012022477.tif 000014